【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
多入力多出力（ＭＩＭＯ）システムの送信機において実行する方法であって、
拡張サイクリック・プレフィクス（ＣＰ）のための復調基準信号（ＤＭ−ＲＳ）パターンを生成する（１０）ステップと、
前記ＤＭ−ＲＳパターンを受信機に送信するステップと、
を含み、
前記ＤＭ−ＲＳパターンは、８レイヤ伝送をサポートするランク１〜８のパターンを含み、
前記ＤＭ−ＲＳパターンは、通常のサブフレームに使用される通常サブフレーム版と、異なる下りリンク・パイロット・タイムスロット（ＤｗＰＴＳ）の場合に使用される、前記通常サブフレーム版のパンクチャ版と、を有し、拡張ＣＰのために、レイヤ当たり最大１６個のリソース・エレメント（ＲＥ）のＤＭ−ＲＳオーバヘッドに適合されていることを特徴とする方法。
【請求項２】
前記ＤｗＰＴＳの場合は、８、９又は１０個のＯＦＤＭシンボルのＤｗＰＴＳを含むことを特徴とする請求項１に記載の方法。
【請求項３】
前記ＤＭ−ＲＳパターンは、合計２つのＣＤＭグループを含む第１のＤＭ−ＲＳパターンと、各ＣＤＭグループに使用される長さ４の直交カバー・コード（ＯＣＣ）と、を含むことを特徴とする請求項１に記載の方法。
【請求項４】
前記ＯＣＣは、通常サブフレームとＤｗＰＴＳの両方において、時間−周波数領域で構成されることを特徴とする請求項３に記載の方法。
【請求項５】
前記通常サブフレーム版において、前記第１のＤＭ−ＲＳパターンは、レイヤ当たり１６個のＲＥを含み、ｉが無線フレームの時間領域方向のｉ番目のシンボルを表し、ｆが無線フレームの周波数領域方向のｆ番目のサブキャリアを表すと、ＣＤＭグループ１のための前記１６個のＲＥは、無線フレームのＲ（ｉ，ｆ）でリソース・エレメントを含み、ここで、ｉ＝５又は６においてｆ＝２，５，８，１１であり、ｉ＝１１又は１２においてｆ＝３，６，９，１２であり、ＣＤＭグループ２のためのリソース・エレメントは、ｉ＝５又は６においてｆ＝１，４，７，１０であり、ｉ＝１１又は１２においてｆ＝２，５，８，１１である、ことを特徴とする請求項３又は４に記載の方法。
【請求項６】
前記通常サブフレーム版のパンクチャ版である８、９又は１０個のＯＦＤＭシンボルのＤｗＰＴＳにおいて、前記第１のＤＭ−ＲＳパターンは、レイヤ当たり８個のＲＥを含み、ＣＤＭグループ１のための前記８個のリソース・エレメントは、無線フレームのＲ（ｉ，ｆ）でリソース・エレメントを含み、ｉ＝５又は６においてｆ＝２，５，８，１１であり、ＣＤＭグループ２のためのリソース・エレメントは、ｉ＝５又は６においてｆ＝１，４，７，１０であり、ｉ＝９、１０、１１、１２でｆ＝１〜１２のＲＥはパンクチャされている、ことを特徴とする請求項５に記載の方法。
【請求項７】
多入力多出力（ＭＩＭＯ）システムのユーザ装置において実行する方法であって、
拡張サイクリック・プレフィクス（ＣＰ）のための復調基準信号（ＤＭ−ＲＳ）パターンを受信するステップと、
前記受信したＤＭ−ＲＳパターンに基づきチャネル・パフォーマンスを推定及び検出するステップと、
を含み、
前記ＤＭ−ＲＳパターンは、８レイヤ伝送をサポートするランク１〜８のパターンを含み、
前記ＤＭ−ＲＳパターンは、通常のサブフレームに使用される通常サブフレーム版と、異なる下りリンク・パイロット・タイムスロット（ＤｗＰＴＳ）の場合に使用される、前記通常サブフレーム版のパンクチャ版と、を有し、拡張ＣＰのために、レイヤ当たり最大１６個のリソース・エレメント（ＲＥ）のＤＭ−ＲＳオーバヘッドに適合されていることを特徴とする方法。
【請求項８】
前記ＤｗＰＴＳの場合は、８、９又は１０個のＯＦＤＭシンボルのＤｗＰＴＳを含むことを特徴とする請求項７に記載の方法。
【請求項９】
前記ＤＭ−ＲＳパターンは、合計２つのＣＤＭグループを含む第１のＤＭ−ＲＳパターンと、各ＣＤＭグループに使用される長さ４の直交カバー・コード（ＯＣＣ）と、を含むことを特徴とする請求項７に記載の方法。
【請求項１０】
前記ＯＣＣは、通常サブフレームとＤｗＰＴＳの両方において、時間−周波数領域で構成されることを特徴とする請求項９に記載の方法。
【請求項１１】
前記通常サブフレーム版において、前記第１のＤＭ−ＲＳパターンは、レイヤ当たり１６個のＲＥを含み、ｉが無線フレームの時間領域方向のｉ番目のシンボルを表し、ｆが無線フレームの周波数領域方向のｆ番目のサブキャリアを表すと、ＣＤＭグループ１のための前記１６個のＲＥは、無線フレームのＲ（ｉ，ｆ）でリソース・エレメントを含み、ここで、ｉ＝５又は６においてｆ＝２，５，８，１１であり、ｉ＝１１又は１２においてｆ＝３，６，９，１２であり、ＣＤＭグループ２のためのリソース・エレメントは、ｉ＝５又は６においてｆ＝１，４，７，１０であり、ｉ＝１１又は１２においてｆ＝２，５，８，１１である、ことを特徴とする請求項９又は１０に記載の方法。
【請求項１２】
前記通常サブフレーム版のパンクチャ版である８、９又は１０個のＯＦＤＭシンボルのＤｗＰＴＳにおいて、前記第１のＤＭ−ＲＳパターンは、レイヤ当たり８個のＲＥを含み、ＣＤＭグループ１のための前記８個のリソース・エレメントは、無線フレームのＲ（ｉ，ｆ）でリソース・エレメントを含み、ｉ＝５又は６においてｆ＝２，５，８，１１であり、ＣＤＭグループ２のためのリソース・エレメントは、ｉ＝５又は６においてｆ＝１，４，７，１０であり、ｉ＝９、１０、１１、１２でｆ＝１〜１２のＲＥはパンクチャされている、ことを特徴とする請求項１１に記載の方法。
【請求項１３】
拡張サイクリック・プレフィクス（ＣＰ）のための復調基準信号（ＤＭ−ＲＳ）パターンを受信する様に構成された受信モジュールと、
前記受信したＤＭ−ＲＳパターンに基づきチャネル・パフォーマンスを推定及び検出する様に構成されたチャネル推定及び検出モジュールと、
を備えており、
前記ＤＭ−ＲＳパターンは、８レイヤ伝送をサポートするランク１〜８のパターンを含み、
前記ＤＭ−ＲＳパターンは、通常のサブフレームに使用される通常サブフレーム版と、異なる下りリンク・パイロット・タイムスロット（ＤｗＰＴＳ）の場合に使用される、前記通常サブフレーム版のパンクチャ版と、を有し、拡張ＣＰのために、レイヤ当たり最大１６個のリソース・エレメント（ＲＥ）のＤＭ−ＲＳオーバヘッドに適合されていることを特徴とするユーザ装置。
【請求項１４】
前記ＤｗＰＴＳの場合は、８、９又は１０個のＯＦＤＭシンボルのＤｗＰＴＳを含むことを特徴とする請求項１３に記載のユーザ装置。
【請求項１５】
前記ＤＭ−ＲＳパターンは、合計２つのＣＤＭグループを含む第１のＤＭ−ＲＳパターンと、各ＣＤＭグループに使用される長さ４の直交カバー・コード（ＯＣＣ）と、を含むことを特徴とする請求項１３に記載のユーザ装置。
【請求項１６】
前記ＯＣＣは、通常サブフレームとＤｗＰＴＳの両方において、時間−周波数領域で構成されることを特徴とする請求項１５に記載のユーザ装置。
【請求項１７】
前記通常サブフレーム版において、前記第１のＤＭ−ＲＳパターンは、レイヤ当たり１６個のＲＥを含み、ｉが無線フレームの時間領域方向のｉ番目のシンボルを表し、ｆが無線フレームの周波数領域方向のｆ番目のサブキャリアを表すと、ＣＤＭグループ１のための前記１６個のＲＥは、無線フレームのＲ（ｉ，ｆ）でリソース・エレメントを含み、ここで、ｉ＝５又は６においてｆ＝２，５，８，１１であり、ｉ＝１１又は１２においてｆ＝３，６，９，１２であり、ＣＤＭグループ２のためのリソース・エレメントは、ｉ＝５又は６においてｆ＝１，４，７，１０であり、ｉ＝１１又は１２においてｆ＝２，５，８，１１である、ことを特徴とする請求項１５又は１６に記載のユーザ装置。
【請求項１８】
前記通常サブフレーム版のパンクチャ版である８、９又は１０個のＯＦＤＭシンボルのＤｗＰＴＳにおいて、前記第１のＤＭ−ＲＳパターンは、レイヤ当たり８個のＲＥを含み、ＣＤＭグループ１のための前記８個のリソース・エレメントは、無線フレームのＲ（ｉ，ｆ）でリソース・エレメントを含み、ｉ＝５又は６においてｆ＝２，５，８，１１であり、ＣＤＭグループ２のためのリソース・エレメントは、ｉ＝５又は６においてｆ＝１，４，７，１０であり、ｉ＝９、１０、１１、１２でｆ＝１〜１２のＲＥはパンクチャされている、ことを特徴とする請求項１７に記載のユーザ装置。